(57)【要約】【課題】作業性が良好で、安価に配線をフロントキャビネットに保持することができ、フロントキャビネットにリアキャビネットを取り付ける際に、ボス等に配線が噛み込むことを防止することができる表示装置を提供する。【解決手段】表示装置は、正面側に映像を表示する表示部と、該表示部の正面側に配置される枠状のフロントキャビネットと、表示部の背面側に配置されるリアキャビネットと、フロントキャビネットにリアキャビネットを固定するための背面側からビスが螺着されるボス５と、表示部に係る回路に接続され、フロントキャビネットの背面に配される配線とを備える。ボス５は、該ボス５から前後方向に交差する方向へ突出し、前記配線の前後方向の移動を抑止する第１抑止部５３を一体的に有し、更に、表示装置は第１抑止部５３で抑止されている配線の該第１抑止部５３から脱離する方向への移動を抑止する第２抑止部５４を備える。【選択図】図６
2013243545.tif 000002
【特許請求の範囲】
【請求項１】
正面側に映像を表示する表示部と、該表示部の正面側に配置される枠状のフロントキャビネットと、前記表示部の背面側に配置されるリアキャビネットと、前記フロントキャビネットに前記リアキャビネットを固定するための背面側からビスが螺着されるボスと、前記表示部に係る回路に接続され、前記フロントキャビネットの背面に配される配線とを備える表示装置において、
前記ボスは、該ボスから前後方向に交差する方向へ突出し、前記配線の移動を抑止する第１抑止部を一体的に有し、
更に、
前記第１抑止部で抑止されている配線の該第１抑止部から脱離する方向への移動を抑止する第２抑止部を備える
ことを特徴とする表示装置。
【請求項２】
前記第２抑止部は板状である
ことを特徴とする請求項１に記載の表示装置。
【請求項３】
前記第２抑止部は、前記ボスに一体的に形成されている
ことを特徴とする請求項１又は請求項２に記載の表示装置。
【請求項４】
前記第１抑止部の外面に、該第１抑止部の突出方向に延びるリブを備える
ことを特徴とする請求項１から請求項３までのいずれか一つに記載の表示装置。
【請求項５】
前記ボスは台座を備え、
前記第１抑止部は前記台座に設けられている
ことを特徴とする請求項１から請求項４までのいずれか１項に記載の表示装置。
【請求項６】
前記台座は、中空であり、側面の一部に開口部を有し、
前記第１抑止部は、前記台座の前記開口部の縁部分から前記交差する方向に突出している
ことを特徴とする請求項５に記載の表示装置。
【請求項７】
請求項１から６までの何れか一つに記載の表示装置と、
テレビジョン放送を受信する受信部とを備え、
前記受信部で受信したテレビジョン放送に基づいて前記表示装置で映像を表示するようにしてあることを特徴とするテレビジョン受信機。
【発明の詳細な説明】
【技術分野】
【０００１】
本発明は、回路に接続された配線を保持する線整形構造をフロントキャビネットに備えた表示装置及びテレビジョン受信機に関する。
【背景技術】
【０００２】
液晶テレビジョン受信機等の表示装置は、正面側に映像を表示する表示部と、該表示部の正面側に配置される矩形枠状のフロントキャビネットと、表示部の背面側に配置されるリアキャビネットとを備えている。リアキャビネットはフロントキャビネットの背面に設けられたボスにビスが螺着されることで固定されている。
【０００３】
フロントキャビネットの下辺部分の背面には、スピーカ及び小基板が取り付けられている。小基板は、例えば、発光ダイオード用基板，ＷｉＦｉ基板，リモートコントロール受光用基板等である。シャーシの背面には、チューナ及びＣＰＵ（Central Processing Unit）等が搭載されたメイン基板、電源回路基板等が設けられており、前記スピーカ、小基板、メイン基板及び電源回路基板間はハーネス（配線）により接続されている。
【０００４】
このハーネスをフロントキャビネットに保持（線整形）するために、フロントキャビネットの下辺部分にフック及びリブを設け、ハーネスをフロントキャビネットに保持することが行われている。特許文献１には、導線が嵌入される嵌入溝を有するリブを、フロントキャビネットに設けた表示装置の発明が開示されている。この表示装置によれば、リブの嵌入溝にハーネスを嵌入することにより、ハーネスをフロントキャビネットに保持することができ、フロントキャビネットにリアキャビネットを取り付ける際に、ハーネスがボスに噛み込まれ、破損することを防止することができる。
【０００５】
また、フック及びリブ等の形成が不可能な部分にはワイヤーホルダ及びテープを直接貼り付けることにより、ハーネスをフロントキャビネットに保持することが行われている。ワイヤホルダを用いて、ハーネスをフロントキャビネットに保持することにより、ハーネスがボスに噛み込まれ、破損することを防止している。
【先行技術文献】
【特許文献】
【０００６】
【特許文献１】特開２０１０−２３８７７６号公報
【発明の概要】
【発明が解決しようとする課題】
【０００７】
しかしながら、フロントキャビネットの狭額縁化が進んだ表示装置においては、スピーカ、小基板等が配される下辺部分の高さ方向の幅が狭く、フック及びリブ等の線整形部品を形成しにくいという問題がある。また、線整形部品を追加することができたとしても、フロントキャビネットの表面にヒケ等の外観不良が発生する虞があった。更に、特許文献１においては、ハーネスがリブから脱離することを抑止する構造が無いため、ハーネスがリブから脱離し、ハーネスがボスに噛み込まれる虞があった。
結局のところ、上述の諸問題を避けるために、狭額縁化された表示装置においては、複数箇所にワイヤーホルダ及びテープを貼着することによって、ハーネスを固定していたが、作業が煩雑であり、作業コスト及び部品コストも高くなるという問題があった。
【０００８】
本発明は斯かる事情に鑑みてなされたものであり、作業性が良好で、安価に配線をフロントキャビネットに保持することができ、フロントキャビネットにリアキャビネットを取り付ける際に、ボス等に配線が噛み込むことを防止することができる表示装置及びテレビジョン受信機を提供することを目的とする。
【課題を解決するための手段】
【０００９】
本発明に係る表示装置は、正面側に映像を表示する表示部と、該表示部の正面側に配置される枠状のフロントキャビネットと、前記表示部の背面側に配置されるリアキャビネットと、前記フロントキャビネットに前記リアキャビネットを固定するための背面側からビスが螺着されるボスと、前記表示部に係る回路に接続され、前記フロントキャビネットの背面に配される配線とを備える表示装置において、前記ボスは、該ボスから前後方向に交差する方向へ突出し、前記配線の移動を抑止する第１抑止部を一体的に有し、更に、前記第１抑止部で抑止されている配線の該第１抑止部から脱離する方向への移動を抑止する第２抑止部を備えることを特徴とする。
【００１０】
本発明にあっては、ボスが有する第１抑止部によって、フロントキャビネットの前後方向への配線の移動が抑止される。また、第２抑止部によって、配線の第１抑止部から脱離する方向への移動が抑止される。つまり、配線をボスの近傍に保持することができ、配線がボスと、リアキャビネットとの接合部へ移動することを防止することができる。従って、フロントキャビネットにリアキャビネットをビスで固定するときに、ボス等に配線が噛み込まれることを防止することができる。
また、ボスと共に成型された第１抑止部と、第２抑止部とによって配線をボスの近傍に保持することができるため、ワイヤホルダ及びテープを貼着して配線を固定する場合と比較して、作業性が良好であり、作業コスト及び部品コストも低減する。
更に、少なくとも第１抑止部をボスに設けているため、フロントキャビネットのより狭いスペースに第１及び第２抑止部を設けることが可能である。
更にまた、少なくとも第１抑止部をボスと一体的に形成しているため、ヒケ等の外観上の不良を低減することが可能である。
更にまた、第２抑止部によって、配線の脱離を抑止し、ボス等に配線が噛み込まれることを効果的に防止することが可能である。
【００１１】
本発明に係る表示装置は、前記第２抑止部は板状であることを特徴とする。
【００１２】
本発明にあっては、第２抑止部は板状であり、配線の離脱を抑止する補助的な部材であるため、第１抑止部ないし非板状の構造物をフロントキャビネットに直接設ける場合に比べて、フロントキャビネットに発生するヒケ等の外観不良を抑えることが可能である。
【００１３】
本発明に係る表示装置は、前記第２抑止部は、前記ボスに一体的に形成されていることを特徴とする。
【００１４】
本発明にあっては、第２抑止部はボスに一体成型されているため、他の箇所にボスを設ける場合に比べて、ヒケ等の外観不良がフロントキャビネットに発生する可能性を低減させることが可能である。
【００１５】
本発明に係る表示装置は、前記第１抑止部の外面に、該第１抑止部の突出方向に延びるリブを備えることを特徴とする。
【００１６】
本発明にあっては、第１抑止部の外面にリブが設けられているため、第１抑止部の撓み強度が良好であり、配線が外れにくい。
【００１７】
本発明に係る表示装置は、前記ボスは台座を備え、前記第１抑止部は前記台座に設けられていることを特徴とする。
【００１８】
本発明にあっては、ボスの根本部分で配線の動きを抑止することができ、ボスによる線噛みの発生がより効果的に抑制される。
【００１９】
本発明に係る表示装置は、前記台座は、中空であり、側面の一部に開口部を有し、前記第１抑止部は、前記台座の前記開口部の縁部分から前記交差する方向に突出していることを特徴とする。
【００２０】
本発明においては、台座部を中空に形成するための傾斜コアを用いて、第１抑止部を形成することができる。台座部を中空にすると共に、ボスに第１抑止部を形成することができるため、新たに線整形部品を追加する場合のように、表示装置の表面にヒケ等の外観不良が発生する虞がない。また、傾斜コアを追加せずに第１抑止部を成形することにより、傾斜コアの追加に必要なコストを抑えることができる。
【００２１】
本発明に係るテレビジョン受信機は、上述の何れか一つの表示装置と、テレビジョン放送を受信する受信部とを備え、前記受信部で受信したテレビジョン放送に基づいて前記表示装置で映像を表示するようにしてあることを特徴とする。
【００２２】
本発明にあっては、テレビジョン放送の映像を表示することができる。
【発明の効果】
【００２３】
本発明の表示装置によれば、作業性が良好で、安価に配線をフロントキャビネットに保持することができ、フロントキャビネットにリアキャビネットを取り付ける際に、ボス等に配線が噛み込むことを防止することができる。
【図面の簡単な説明】
【００２４】
【図１】本発明に係るテレビジョン受信機を模式的に示す斜視図である。
【図２】ＴＶ受信機の一構成例を示す正面図である。
【図３】ＴＶ受信機の一構成例を示す背面図である。
【図４】リアキャビネットを取り外した表示装置の背面図である。
【図５】フロントキャビネットの要部を示した拡大背面図である。
【図６】第１基板近傍のボスの斜視図である。
【図７】第１基板近傍のボスの６面図である。
【図８】第１基板近傍のボスの側断面図である。
【図９】第１及び第２抑止部によってハーネスを保持したボスの斜視図である。
【図１０】第２基板近傍のボスの斜視図である。
【図１１】第２基板近傍のボスの６面図である。
【図１２】第２基板近傍のボスの側断面図である。
【図１３】第１及び第２抑止部によってハーネスを保持したボスの斜視図である。
【図１４】第１抑止部を形成する傾斜コアを示す側断面図である。
【図１５】第１抑止部を形成する傾斜コアを示す側断面図である。
【発明を実施するための形態】
【００２５】
以下、本発明をその実施の形態を示す図面に基づいて具体的に説明する。
図１は本発明に係るテレビジョン受信機（以下、ＴＶ受信機という）を模式的に示す斜視図、図２はＴＶ受信機の一構成例を示す正面図、図３はＴＶ受信機の一構成例を示す背面図である。テレビジョン受信機は、液晶パネル又はＥＬパネル等の表示パネルを含んだ矩形平板状の表示部１を備えており、表示部１は金属製のシャーシ１ａ（図４参照）に固定され、スタンド４によって支持されている。
また、テレビジョン受信機は、表示部１の正面側に矩形枠状のフロントキャビネット２を備えている。フロントキャビネット２は、金属又は樹脂で形成されており、シャーシ１ａに固定されている。表示部１及びシャーシ１ａの周縁部分がフロントキャビネット２で覆われている。フロントキャビネット２は、複数の部品で構成されていてもよい。例えば、フロントキャビネットの下辺部分を別部材で構成しても良い。
また、テレビジョン受信機は、表示部１及びシャーシ１ａの背面を覆うリアキャビネット３を備えている。リアキャビネット３の周縁部の背面には、該リアキャビネット３をフロントキャビネット２にビスで固定するための複数のビス挿通孔３１が設けられている。
【００２６】
図４は、リアキャビネット３を取り外した表示装置の背面図、図５は、フロントキャビネット２の要部を示した拡大背面図である。なお、図４においては、各種回路を接続するハーネスを省略している。図４に示すように、フロントキャビネット２の周縁部の背面には、該フロントキャビネット２にリアキャビネット３をビスで固定するための複数のボス５，６が周方向に沿って設けられている。ボス５，６には、リアキャビネットのビス挿通孔３１を挿通したビスが螺入して固定されるビス孔が形成されている。なお、図４においては、本実施の形態に係るボス５，６にのみ符号を付しており、他のボスの符号は省略してある。
シャーシ１ａには、電源回路基板７３及びメイン基板７４が設けられている。メイン基板７４は、受信部、映像処理回路、入出力インタフェース、制御基板等を含む。受信部は、テレビジョン放送を受信し、映像処理回路は、受信部で受信したテレビジョン放送に基づいた映像を表示部１に表示させる処理を行う。
また、フロントキャビネット２の下辺部分には、第１基板７１及び第２基板７２が固定されている。第１基板７１は、例えば遠隔操作装置からの信号を受信し、受信した信号をメイン基板７４へ出力する操作信号受信回路が配された基板であり、ハーネス７１ａによってメイン基板７４に接続されている。また、第２基板７２は、例えば、外部機器と無線通信を行う無線通信信回路が配された基板であり、ハーネス７２ａによってメイン基板７４に接続されている。なお、操作信号受信回路及び無線通信回路は、第１及び第２基板７１，７２に配された回路の一例であり、その他、装飾用のＬＥＤランプを点灯させる回路、操作ボタンの操作を受け付ける回路、明るさセンサ等が配された基板等が挙げられる。
【００２７】
ボス５，６には、ハーネス７１ａ，７２ａをフロントキャビネット２に保持する第１及び第２抑止部が形成されている。以下、第１及び第２抑止部の詳細を説明する。
【００２８】
図６は第１基板７１近傍のボス５の斜視図、図７は第１基板７１近傍のボス５の６面図、図８は第１基板７１近傍のボス５の側断面図、図９は第１及び第２抑止部によってハーネス７１ａを保持したボス５の斜視図である。図６〜図９中、紙面上方はＴＶ受信機の上方であり、紙面下方はＴＶ受信機の下方に対応している。以下、ボス５を見る方向を、ＴＶ受信機を基準とした正面、背面、平面、底面及び側面といった方向を用いて説明する。例えば、図７Ａはボス５の背面図であるが、図７ＡはＴＶ受信機の背面側から見たボス５の形状を示している。同様にして、図７Ｂはボス５の右側面図、図７Ｃはボス５の左側面図、図７Ｄはボス５の平面図、図７Ｅはボス５の底面図である。なお、ボス５の正面図は省略されている。
ボス５は、フロントキャビネット２から背面側へ突出した略四角柱状の台座５１を有する。台座５１は、ボス５を構造的に強化するための構造物である。フロントキャビネット２にボス本体５２を直接的に設けた場合、フロントキャビネット２と、リアキャビネット３との前後方向の距離が長い程、ボス本体５２が撓んだり、折れたりする虞がある。そこで、中空略直方体の台座５１をフロントキャビネット２に設け、その台座５１にボス本体５２を備えるように構成されている。ボス本体５２を台座５１に設けることによって、ボス本体５２の前後方向の長さを短くすることができ、ボス本体５２の撓み、折れを防止することができる。台座５１は、上方が開口した中空である。台座５１を中空にすることにより、成型時にフロントキャビネット２の表面にヒケ等が発生することを防止している。一般的に、フロントキャビネット２に設けられる構造物が大きい程、成型時の樹脂の収縮によって、フロントキャビネット２の表面にヒケといった外観品位が低下する虞が高くなる。台座５１の背面（図８中、台座５１の右端面）には、背面側へ突出した筒状のボス本体５２が設けられている。ボス本体５２にはビスが螺入するビス孔５２ａが形成されている。
【００２９】
また、台座５１には、ハーネス７１ａの前後方向への移動を抑止する第１抑止部５３が設けられている。具体的には、第１抑止部５３は、フロントキャビネット２に対して略平行な板状部材であり、台座５１の下面から下方へ突出している。より詳細には、台座５１の下面には、上方の開口よりも小さい小開口部５１ａが形成されており、第１抑止部５３は、該小開口部５１ａの背面側の縁部分から突出している。
【００３０】
更に、台座５１の根本には、第１抑止部５３で抑止されているハーネス７１ａが第１抑止部５３から脱離する方向への移動することを抑止する第２抑止部５４と、第３抑止部５５とが設けられている。第２抑止部５４及び第３抑止部５５は、フロントキャビネット２に対して略垂直な板状部材であり、背面側から見て第１抑止部５３の横方向両側にそれぞれ設けられている。具体的には、第２抑止部５４は側面視略Ｌ字状をなし、その一辺を構成する矩形板部分は台座５１の根本と、フロントキャビネット２の背面とに接続しており、該板部の下端から背面側へ他の矩形板部分が突出している。図８に示すように、第２抑止部５４の高さ（ＴＶ受信機の前後方向の長さ）は、第１抑止部５３の高さ（フロントキャビネット２の背面と、第１抑止部５３との前後方向の長さ）よりも長い。また、第１抑止部５３の下端は、第２抑止部５４の前記他の矩形板部分の上端よりも下方に位置するように構成されている。
第３抑止部５５は、第２抑止部５４から前記他の矩形板部分を除いたような板状部材である。第３抑止部５５の上下方向の幅は、第２抑止部５４の上下方向の幅と略同一である。つまり、第３抑止部５５の下端は、第２抑止部５４の下端と上下方向の位置が略同一である。
【００３１】
第１乃至第３抑止部５３，５４，５５によれば、図９に示すように、ハーネス７１ａの前後方向の移動が第１抑止部５３によって抑止され、ハーネス７２ａの上下方向の移動が第２抑止部５４によって抑止される。
【００３２】
図１０は第２基板７２近傍のボス６の斜視図、図１１は第２基板７２近傍のボス６の６面図、図１２は第２基板７２近傍のボス６の側断面図、図１３は第１及び第２抑止部によってハーネス７２ａを保持したボス６の斜視図である。図１０〜図１３中、紙面上方はＴＶ受信機の上方であり、紙面下方はＴＶ受信機の下方に対応している。図１１Ａはボス６の背面図、図１１Ｂはボス６の右側面図、図１１Ｃはボス６の左側面図、図１１Ｄはボス６の平面図、図１１Ｅはボス６の底面図である。なお、ボス６の正面図は省略されている。
ボス６は、フロントキャビネット２から背面側へ突出した略四角柱状の台座６１を有する。台座６１は、中空であり、上方に開口部６１ａを有する。台座６１の背面（図１２中、台座６１の上面）には、背面側へ突出した筒状のボス本体６２が設けられている。ボス本体６２にはビスが螺入するビス孔６２ａが形成されている。
【００３３】
また、台座６１には、ハーネス７２ａの前後方向への移動を抑止する第１抑止部６３が設けられている。具体的には、第１抑止部６３は、フロントキャビネット２に対して略平行な板状部材であり、台座６１の上面から上方へ突出している。より詳細には、台座６１の開口部６１ａの背面側の縁部から上方へ突出している。また、第１抑止部６３の背面（図１２中上面）には、第１抑止部６３の突出方向に延び、該第１抑止部６３の弾性を補強するリブ６５を備える。
【００３４】
更に、台座６１の根本近傍には、第１抑止部６３で抑止されているハーネス７２ａが第１抑止部６３から脱離する方向への移動することを抑止する第２抑止部６４，６４が設けられている。第２抑止部６４，６４は、フロントキャビネット２に対して略垂直な板状部材であり、背面側から見て第１抑止部６３の横方向両側にそれぞれ設けられている。具体的には、第２抑止部６４，６４は矩形板状であり、図１２に示すように、第２抑止部６４の高さ（ＴＶ受信機の前後方向の長さ）は、第１抑止部６３の高さ（フロントキャビネット２の背面と、第１抑止部６３との前後方向の長さ）と略同じである。また、第１抑止部６３の上端は、第２抑止部６４の下端よりも上方に位置するように構成されている。
【００３５】
第１及び第２抑止部６３，６４によれば、図１３に示すように、ハーネス７２ａの前後方向の移動が第１抑止部６３によって抑止され、ハーネス７２ａの上下方向の移動が第２抑止部６４，６４によって抑止される。
【００３６】
以下、本実施の形態に係るＴＶ受信機の作用効果を説明する。
ＴＶ受信機の組み立て時において、作業者は、ハーネス７１ａをボス５の下側に這わせ、第１抑止部５３と、第２抑止部５４との間にハーネス７１ａを下側から差し込むことで、第１及び第２抑止部５３，５４に、ハーネス７１ａを保持させることができる。ハーネス７１ａをボス５の近傍に保持することができ、ハーネス７１ａが、ボス５と、リアキャビネット３との接合部へ移動することを防止することができる。フロントキャビネット２に、リアキャビネット３とを突き合わせ、ビスで固定する際、ボス本体５２の先端部が、リアキャビネット３に当接する。そして、ビスがボス本体５２のビス孔５２ａに螺着されて、フロントキャビネット２にリアキャビネット３が固定される。この際、ハーネス７１ａが、ボス本体５２の先端部と、リアキャビネット３との間に位置した場合、該先端部と、リアキャビネット３との間に挟み込まれ、ハーネス７１ａが損傷する虞がある。また、ハーネス７１ａがビスによって、ビス孔５２ａにねじ込まれ、ハーネス７１ａが損傷するおそれがある。ところが、本実施の形態によれば、ハーネス７１ａが、フロントキャビネット２側から、ボス本体５２の先端側、つまり背面側へ移動することを第１抑止部５３及び第２抑止部５４によって抑止しているため、フロントキャビネット２にリアキャビネット３を取り付ける際に、ボス５等にハーネス７１ａが噛み込まれることを防止することができる。
【００３７】
また、ボス５と共に成型された第１抑止部５３と、第２抑止部５４とによってハーネス７１ａをボス５の近傍に保持することができるため、ワイヤホルダ及びテープを貼着してハーネス７１ａを固定する場合と比較して、作業性が良好であり、作業コスト及び部品コストを低減させることができる。
【００３８】
更に、第１抑止部５３をボス５に設けているため、フロントキャビネット２のより狭いスペースに第１及び第２抑止部５３，５４を設けることが可能である。つまり、ボス５と異なる箇所に第１抑止部５３を設けるためには、フロントキャビネット２に第１抑止部５３用のスペースが必要であるが、ボス５に第１抑止部５３を設けることによって、第１抑止部５３専用の設置スペースが不要になる。特に狭額縁化が進んだＴＶ受信機においては、ボス５の近傍に、第１抑止部５３専用の設置スペースを設けることが困難であるところ、本実施の形態によれば、専用スペースが不要であるため、第１抑止部５３を設けることが可能になる。
【００３９】
更にまた、第２抑止部５４は板状であり、ハーネス７１ａの離脱を抑止する補助的な部材であるため、非板状の構造物をフロントキャビネット２に直接設ける場合に比べて、フロントキャビネット２に発生するヒケ等の外観不良を抑えることができる。
更にまた、少なくとも第１抑止部５３をボス５と一体的に形成しているため、ヒケ等の外観上の不良を低減することができる。第１抑止部５３をボス５と別体で設ける場合、つまり、フロントキャビネット２に柱状部材を設け、該柱状部材から板状部材を突出させたような構造物を設ける場合、フロントキャビネット２にヒケが生ずる虞が新たに発生するが、ボス５と一体的に、しかも薄い板状の第１抑止部５３を設ける本実施の形態に係る構成によれば、ヒケ等の外観上の不良を効果的に低減することができる。
更にまた、第２抑止部５４によって、ハーネス７１ａの脱離を抑止し、ボス５にハーネス７１ａが噛み込まれることを効果的に防止することができる。
更にまた、ボス５の根本部分でハーネス７１ａの動きを抑止することができ、ボス５による線噛みの発生がより効果的に抑制される。
【００４０】
以上の作用効果は、ボス６に設けられた第１及び第２抑止部６３，６４も同様に有している。特にボス６の第１抑止部６３の外面にはリブ６５が設けられているため、第１抑止部６３の撓み強度を向上させ、ハーネス７２ａを外れにくくすることができる。
【００４１】
更に、本実施の形態に係る第１抑止部５３，６３は、アンダーカットであるため、傾斜コアを用いて成型する必要があるが、ボス５，６の台座５１，６１の中空部を形成する際に使用する傾斜コアを用いて成型することができるため、新たな傾斜コアを新たに追加することなく、低コストで第１抑止部５３，６３を形成することができる。
【００４２】
図１４は、第１抑止部５３を形成する傾斜コア８を示す側断面図である。フロントキャビネット２は、分離可能な複数の金型からなる射出成形用金型を用いて成形される。特にボス５を成形する部分は、例えば、フロントキャビネット２の正面側を成型する図示しない第１の割型と、フロントキャビネットの背面側を成型する第２の割型と、アンダーカットになるボス５の中空部及び第１抑止部５３を成型する傾斜コア８とで成型される。
まず、第１及び第２割型、並びに傾斜コア８を接合し、フロントキャビネット２を射出成形する。次いで、細線矢印で示すように、第１及び第２割型を前後方向に分離しつつ、傾斜コア８を白抜き矢印で示す方向に移動させ、第２割型と共に背面側に抜き出す。上方へ移動する傾斜コア８によって、台座５１には上方に開口した中空部分が成型され、更に、小開口部５１ａと共に第１抑止部５３が成型される。
【００４３】
図１５は、第１抑止部６３を形成する傾斜コア９を示す側断面図である。ボス５と同様、特にボス６を成形する部分は、例えば、第１の割型と、第２の割型と、アンダーカットになるボス６の中空部及び第１抑止部６３を成型する傾斜コア９とで成型される。
まず、第１及び第２割型、並びに傾斜コア９を接合し、フロントキャビネット２を射出成形する。次いで、細線矢印で示すように、第１及び第２割型を前後方向に分離しつつ、傾斜コア９を白抜き矢印で示す方向に移動させ、第２割型と共に背面側に抜き出す。上方へ移動する傾斜コア９によって、台座６１には上方の開口部６１ａが成型され、更に、開口部６１ａと共に第１抑止部６３が成型される。
【００４４】
なお、実施の形態におけるボス５，６の形状、フロントキャビネット２上の配置位置、個数等は一例であり、前記実施の形態において説明したものに限定されない。また、実施の形態では、ボスの形状として２種類の形態を例示し、該２種類のボスをそれぞれ備えたＴＶ受信機を説明したが、一方の形態のボスのみを備えるように構成しても良い。また、台座を有しないボスをフロントキャビネットに構成するように構成しても良い。
【符号の説明】
【００４５】
１  表示部
２  フロントキャビネット
３  リアキャビネット
４  スタンド
５，６  ボス
５１，６１  台座
５２，６２  ボス本体
５３，６３  第１抑止部
５４，６４  第２抑止部
５５  第３抑止部
６５  リブ
７１  第１基板
７２  第２基板
７１ａ，７２ａ  ハーネス
【図１】
2013243545.tif 000003
【図２】
2013243545.tif 000004
【図４】
2013243545.tif 000005
【図５】
2013243545.tif 000006
【図６】
2013243545.tif 000007
【図７】
2013243545.tif 000008
【図８】
2013243545.tif 000009
【図９】
2013243545.tif 000010
【図１０】
2013243545.tif 000011
【図１１】
2013243545.tif 000012
【図１２】
2013243545.tif 000013
【図１３】
2013243545.tif 000014
【図１４】
2013243545.tif 000015
【図１５】
2013243545.tif 000016
【図３】
2013243545.tif 000017